(57)【要約】【課題】容易な作業により故人の遺物を屋内ではユーザの身の回りに配置し、屋外ではユーザが携帯することを可能にする手段を提供する。【解決手段】遺物収容器具１は、例えば遺灰を内部に収容するカプセル１１と、カプセル１１を収容して安置することが可能な置物１２と、カプセル１１を収容して持ち運ぶことが可能な装身具１３とを備えている。遺灰の入っているカプセル１１は、普段、置物１２に収容され、屋内の視認可能な場所において保管されている。ユーザが外出する際には、置物１２からカプセル１１を取り出して、装身具１３の内部に収容する。そして、装身具１３を身に付けたまま外出する。この場合、ユーザは、大切なものを身に付けているという感覚を持つことができ好適である。外出から戻ってきたら、また装身具１３からカプセル１１を取り出して、カプセル１１を置物に配置する。これらの取り出しや配置の作業は、極めて容易である。【選択図】図１
2013132347.tif 000002
【特許請求の範囲】
【請求項１】
故人の身体由来の遺物を収容するための中空部と、前記中空部が有する開口部を開閉可能に塞ぐ蓋部とを有するカプセルと、
前記カプセルの外面の少なくとも一部に接しながら当該外面の少なくとも一部を覆う壁面により形成される中空部を有し、当該中空部に前記カプセルを収容して安置することが可能な置物と、
前記カプセルの外面の少なくとも一部に接しながら当該外面の少なくとも一部を覆う壁面により形成される中空部を有し、当該中空部に前記カプセルを収容して持ち運ぶことが可能な装身具と
を備える遺物収容器具。
【請求項２】
前記置物は、前記置物の前記中空部に前記カプセルを収容した状態で、前記カプセルの外面の一部を覆わない
請求項１に記載の遺物収容器具。
【請求項３】
前記装身具は、前記装身具の前記中空部に前記カプセルを収容した状態で、前記カプセルの外面の全てを覆う
請求項１または２に記載の遺物収容器具。
【請求項４】
前記カプセルは、長手方向に対し垂直な任意の平面で切断した際の断面の外縁の形状が常に同一形状となる柱形状を有する
請求項１乃至３のいずれかに記載の遺物収容器具。
【請求項５】
前記装身具は、ペンダントヘッド、ブローチ、キーホルダーヘッド、携帯ストラップヘッドのうちのいずれかである
請求項１乃至４のいずれかに記載の遺物収容器具。
【発明の詳細な説明】
【技術分野】
【０００１】
本発明は、故人の身体由来の遺物を収容するための遺物収容器具に関する。
【背景技術】
【０００２】
故人を大切に思う多くの人々は、故人の遺灰、遺爪、遺髪などの遺物を身の回りに配置したり、身に付けたりすることを望む場合がある。なぜなら、故人の存在をできるだけ身近に感じていたいという願望があるからである。実際、それらの遺物を仏壇などに配置して、拝んだり、祈ったりする場合もある。
【０００３】
従来、そのような願望をかなえるために、例えば特許文献１に開示される技術は、故人の遺物を収納保管して、例えばペンダントなどとして使用する手段を提供している。
【０００４】
また、特許文献２に開示される技術は、家にいる時は遺灰を収納でき、長期外出などする時は当該遺灰を携帯することができる手段を提供している。
【先行技術文献】
【特許文献】
【０００５】
【特許文献１】実登３０２８４６８号公報
【特許文献２】特開２００６−２１２１５９号公報
【発明の概要】
【発明が解決しようとする課題】
【０００６】
ところで、容易な作業で故人の遺物を常時身の回りに配置したり、身に付けたりすることを可能にする手段は、未だ市場に提供されてない。
【０００７】
そこで、本発明は、容易な作業により故人の遺物を屋内ではユーザの身の回りに配置し、屋外ではユーザが携帯することを可能にする手段を提供することを目的とする。
【課題を解決するための手段】
【０００８】
本発明は、上記の目的に鑑みて想到されたものであり、
故人の身体由来の遺物を収容するための中空部と、前記中空部が有する開口部を開閉可能に塞ぐ蓋部とを有するカプセルと、
前記カプセルの外面の少なくとも一部に接しながら当該外面の少なくとも一部を覆う壁面により形成される中空部を有し、当該中空部に前記カプセルを収容して安置することが可能な置物と、
前記カプセルの外面の少なくとも一部に接しながら当該外面の少なくとも一部を覆う壁面により形成される中空部を有し、当該中空部に前記カプセルを収容して持ち運ぶことが可能な装身具と
を備える遺物収容器具を提供する（第１の実施態様）。
【０００９】
また、上記の第１の実施態様において、
前記置物は、前記置物の前記中空部に前記カプセルを収容した状態で、前記カプセルの外面の一部を覆わない
構成を採用してもよい（第２の実施態様）。
【００１０】
また、上記の第１または２の実施態様において、
前記装身具は、前記装身具の前記中空部に前記カプセルを収容した状態で、前記カプセルの外面の全てを覆う
構成を採用してもよい（第３の実施態様）。
【００１１】
また、上記の第１乃至３のいずれかの実施態様において、
前記カプセルは、長手方向に対し垂直な任意の平面で切断した際の断面の外縁の形状が常に同一形状となる柱形状を有する
構成を採用してもよい（第４の実施態様）。
【００１２】
また、上記の第１乃至４のいずれかの実施態様において、
前記装身具は、ペンダントヘッド、ブローチ、キーホルダーヘッド、携帯ストラップヘッドのうちのいずれかである
構成を採用してもよい（第５の実施態様）。
【発明の効果】
【００１３】
本発明の第１の実施態様にかかる遺物収容器具によれば、故人の遺物を収容したカプセルを、置物の内部と装身具の内部との間で行ったり来たりさせることで、容易な作業により常時遺物をユーザの身の回りに配置したり身に付けたりすることができる。
【００１４】
また、本発明の第２の実施態様にかかる遺物収容器具によれば、置物の内部にカプセルを配置した場合に、カプセルの外面の一部が覆われないので、当該置物に対する収容と取り出しが簡単になる。
【００１５】
また、本発明の第３の実施態様にかかる遺物収容器具によれば、装身具がカプセルの外面の全てを覆うので、持ち運び時にカプセルが露出しないことで、万一の脱落や汚れや破損からカプセルを保護することができる。
【００１６】
また、本発明の第４の実施態様にかかる遺物収容器具によれば、カプセルを柱形状とすることで、当該カプセルが置物と装身具との間を行ったり来たりする際、当該柱形状を抜く、差込むといった作業で取り出しと収容が可能である。
【００１７】
また、本発明の第５の実施態様にかかる遺物収容器具によれば、装身具が、ペンダントヘッド、ブローチ、キーホルダーヘッド、携帯ストラップヘッドのうちのいずれかであるので、多彩な使用方法でユーザが故人の遺物を身に付けることができる。
【図面の簡単な説明】
【００１８】
【図１】図１は、本発明の一具体例である実施例にかかる遺物収容器具の正面図である。
【図２】図２は、本発明の一具体例である実施例にかかる遺物収容器具のカプセルの正面図である。
【図３】図３は、本発明の一具体例である実施例にかかる遺物収容器具の装身具が開口した状態を説明する図である。
【図４】図４は、本発明の一具体例である実施例の変形例にかかる遺物収容器具の置物の正面図である。
【図５】図５は、本発明の一具体例である実施例の別の変形例にかかる遺物収容器具の置物の正面図である。
【発明を実施するための形態】
【００１９】
（実施例）
以下、本発明の一具体例である実施例について、図面を用いて説明する。
【００２０】
図１は、本実施例にかかる遺物収容器具１の正面図である。また、図２は、本実施例にかかる遺物収容器具１のカプセル１１の正面図である。
【００２１】
遺物収容器具１は、例えば遺灰を内部に収容するカプセル１１と、カプセル１１を収容して安置することが可能な置物１２と、カプセル１１を収容して持ち運ぶことが可能な装身具１３とを備えている。
【００２２】
カプセル１１は、図２に示されるように、例えば遺灰を収容するための中空部のほとんどの部分を取り囲む本体部１１１と、本体部１１１が有する開口部を開閉可能に塞ぐ蓋部１１２とを有している。
【００２３】
蓋部１１２の上部に設けられている天井部１１２１の下側には円周方向に雄ネジの切られている突出部１１２２が設けられており、本体部１１１における突出部１１２２に対向する位置には、上述の雄ネジと係合する雌ネジが切られている。
【００２４】
より具体的には、カプセル１１は、本体部１１１と蓋部１１２とが係合した状態（本体部１１１に対して蓋部１１２が締められた状態）で、例えば高さが２５ミリメートルかつ外径が７ミリメートルの円柱形状を有している。
【００２５】
そして、本体部１１１と蓋部１１２とが分離した状態では、本体部１１１の高さは例えば１８ミリメートルであり、蓋部１１２の天井部１１２１の高さは例えば７ミリメートルであり、突出部１１２２は蓋部１１２の長手方向に例えば４ミリメートル突出している。
【００２６】
円筒形状の本体部１１１は、上述の開口部から底部に向かって円柱形状の中空の空間（上述の中空部）を有している。当該中空部を構成する円柱形状の外径は、例えば５ミリメートルである。そして、本体部１１１の底部の厚さは例えば３ミリメートルである。
【００２７】
以上のように構成されるカプセル１１は、例えば遺灰を本体部１１１の内部（上述の円柱形状の中空部）に収容する際には、本体部１１１から蓋部１１２を取り外し、当該遺灰を上述の中空部に注ぎ込む。そして、遺灰を当該中空部に適量だけ注ぎ込んだら、本体部１１１の上述の雌ネジに蓋部１１２の突出部１１２２の雄ネジを係合させてぴったりと締め込む。
【００２８】
また、カプセル１１の各要素は、例えばステンレスから作られている。
【００２９】
置物１２は、カプセル１１を収容するための中空の空間（すなわち、中空部）を有する本体部１２１と、本体部１２１の下部に固着される底部１２２とを有している。
【００３０】
上述の中空部は、カプセル１１の外面の少なくとも一部に接しながら当該外面の少なくとも一部を覆う本体部１２１の壁面により形成される。当該中空部には、カプセル１１を安置することができる。
【００３１】
本体部１２１は、図１に示されるように、例えば本体部１２１の中空部にカプセル１１が収容された状態で、カプセル１１が着物を羽織るような形状を有している。また、本体部１２１は、例えばステンレスから作られている。
【００３２】
底部１２２は、例えば本体部１２１の下部にぴったりと合う円形状を有しており、ラシャ紙もしくはフェルト地の層と当該ラシャ紙もしくはフェルト地の層を本体部１２１の下部に固着させる例えば接着剤の層とを有している。
【００３３】
なお、本体部１２１の高さは、例えば５０ミリメートルである。
【００３４】
以上のような構成を有することにより、置物１２に収容されるカプセル１１は、置物１２に収容された状態で外部から視認が可能であり、カプセル１１の置物１２に対する配置と取り出しが容易である。
【００３５】
また、カプセル１１が円柱形状を有していることにより、カプセル１１を置物１２に配置したり置物１２から取り出したりすることが容易である。
【００３６】
装身具１３は、図１に示されるように、例えば円筒形状を有するペンダントである。
【００３７】
装身具１３は、カプセル１１を収容するための中空の空間（すなわち、中空部）を有する本体部１３１と、ユーザが首などにかける鎖１３２と、鎖１３２を本体部１３１に取り付けるための鎖取り付け機構と、カプセル１１を上述の中空部に収容するために本体部１３１を開口するための本体部開口機構とを有している。
【００３８】
なお、上述の中空部は、カプセル１１の外面の少なくとも一部に接しながら当該外面の少なくとも一部を覆う壁面により形成される。ユーザは、当該中空部にカプセル１１を収容して持ち運ぶことができる。
【００３９】
本体部１３１は、図３に示されるように、下部を除いて縦方向に半分半分に分割されている。図３に示されるような本体部１３１が開口した状態で、本体部１３１にカプセル１１を出し入れする。そして、装身具１３を携帯して持ち運ぶような場合には、図１に示されるように、本体部１３１を閉じた状態とする。
【００４０】
すなわち、本体部１３１は、本体部１３１の下部が分離離脱しない状態で、当該下部の一部分に支柱１３１１を有し、支柱１３１１を回転の軸として、本体部１３１の長手方向に平行な当該支柱を通る平面によって切られたように、一の向きと当該一の向きとは反対側の他の向きの両方の向きに開口することが可能である。なお、本体部１３１の天井部分の上面には、上述の開口を行なう際にユーザが爪などを引っ掛ける小さな突起１３１２が設けられている。この場合、支柱１３１１および突起１３１２が上述の本体部開口機構を構成する。
【００４１】
また、上述のように半分半分に分割された本体部１３１の各々上部には、鎖１３２を通すための輪形状部材１３１３が設けられている。さらに、鎖１３２の方には、鎖１３２をユーザの首にかける際に鎖１３２を輪状にするための留金１３２１が設けられている。そして、鎖１３２を輪形状部材１３１３に通す際には、留金１３２１を外して鎖１３２を一本の線のようにして通してやればよい。この場合、輪形状部材１３１３および留金１３２１が上述の鎖取り付け機構を構成する。
【００４２】
なお、本実施例にかかる装身具１３は、例えば、カプセル１１を上述の中空部に収容した状態で、カプセル１１の外面の全てを覆う。このことにより、ユーザが装身具１３を持ち運ぶ際に、カプセル１１が露出しないので、万一の脱落や汚れもしくは破損からカプセル１１を保護することができる。
【００４３】
なお、本体部の高さは、輪形状部材１３１３を含めて、例えば３８ミリメートルである。
【００４４】
また、装身具１３の各要素は、例えばステンレスから作られている。
【００４５】
以上のように構成される遺物収容器具１の使用方法の一例について、以下に説明する。
【００４６】
遺灰の入っているカプセル１１は、普段、置物１２に収容され、屋内の視認可能な場所において大事に保管されている。ユーザは、カプセル１１が収容されている置物１２を仏壇の代わりにして、拝んだり祈ったりしている。
【００４７】
そして、ユーザが外出する際には、置物１２からカプセル１１を取り出して、装身具１３の内部に収容する。そして、装身具１３を身に付けたまま外出する。この場合、ユーザは、大切なものを身に付けているという感覚を持つことができ好適である。
【００４８】
外出から戻ってきたら、また装身具１３からカプセル１１を取り出して、カプセル１１を置物１２に配置する。これらの取り出しや配置の作業は、上述のように極めて容易である。
【００４９】
（変形例）
上述した実施例は、本発明の技術的思想の範囲内で様々に変形が可能である。
【００５０】
まず、遺物収容器具１の各構成要素を特定する数値、形状、素材、個数、位置などはあくまでも一例であって、特に問題がなければその他の数値、形状、素材、個数、位置などが用いられてもよい。
【００５１】
例えば、置物１２の本体部１２１は、カプセル１１が着物を羽織るような形状を有しているものとしたが、本発明はこれによって限定されるものではない。したがって、置物１２の形状は、図４に示されるように、下面の所定領域が平面をなす卵形状であってもよく、また図５に示されるように、下方から上方へと向かって段々と細くなっていく塔形状であってもよい。
【００５２】
この場合、上述の卵形状および塔形状は各々、蓋部材を有しており、本体部１２１にカプセル１１を配置した状態で当該蓋部材を取り外すと、上述の着物を羽織るような形状と同様に、カプセル１１が外部から視認可能であり、そのようなデザインを好むユーザにとっては好適である。ただし、本発明においては、上述の卵形状および塔形状のように蓋部材を被せてしまって、カプセル１１が外部から視認不可能な物も置物１２に含まれるものとする。
【００５３】
なお、図４の卵形状および図５の塔形状は、一見すると平面図のように写っているが実際は正面図であり、平面上に配置された状態では立っているように視認される。
【００５４】
また、本発明において、装身具１３は、上述のペンダントのような直接身に付けるものに限られず、キーホルダーや携帯ストラップやブローチなどのような直接身に付けないで持ち運ぶ物も含まれるものとする。
【００５５】
なお、カプセル１１の本体部１１１と蓋部１１２とは上述の中空部に遺灰などを入れた後に、接着剤を塗布して係合させてやれば両者が外れることがなくて便利であるが、本発明はこれによって限定されるものではない。
【００５６】
また、カプセル１１の中空部に収容する物は例えば遺灰であるものとしたが、本発明はこれによって限定されるものではない。したがって、カプセル１１は、遺灰以外の遺爪、遺髪などの故人の身体由来の遺物を収容してもよい。
【００５７】
また、装身具１３は、装身具１３の中空部にカプセル１１を収容した状態で、カプセル１１の外面の全てを覆うものとしたが、本発明はこれによって限定されるものではない。したがって、装身具１３の外部から装身具１３に収容されたカプセル１１が視認可能であってもよい。
【００５８】
また、カプセル１１は、本体部１１１と蓋部１１２とが係合した状態で例えば円柱形状を有しているものとしたが、本発明はこれによって限定されるものではない。したがって、カプセル１１は、長手方向に対し垂直な任意の平面で切断した際の断面の外縁の形状が常に同一形状となる柱形状を有していればよい。そうすれば、カプセル１１が置物１２と装身具１３とを行き来する際に、当該柱形状を抜く、差込むといった作業で取り出しと収容が可能だからである。ただし、特に問題がなければ、カプセル１１の形状はいかなる形状であってもよい。
【００５９】
また、遺物収容器具１の各要素は、底部１２２を除いて、ステンレスから作られているものとしたが、本発明はこれによって限定されるものではない。したがって、遺物収容器具１の各要素は、ステンレス以外の金属、もしくは金属以外の物から作られていてもよい。なお、底部１２２は、ラシャ紙もしくはフェルト地の層と接着剤の層とを合わせたものであるとしたが、本発明はこれによって限定されるものではない。したがって、底部１２２は他のいかなる素材によってつくられていてもよいし、特に問題がなければ底部１２２はなくてもよい。
【００６０】
また、装身具１３は鎖１３２を有するものとしたが、本発明はこれによって限定されるものではなく、特に問題がなければ装身具１３は鎖１３２を有していなくてもよい。もしくは鎖１３２は装身具１３の外部要素であってもよい。同様に、装身具１３が上述のように、キーホルダーや携帯ストラップやブローチなどの場合であっても、いわゆるヘッド以外の部分は装身具１３の外部要素であってもよい。
【００６１】
また、上述した遺物収容器具１の使用方法はあくまでも一例であって、遺物収容器具１はその他のいかなる方法によって使用されてもよい。
【産業上の利用可能性】
【００６２】
本発明の遺物収容器具は、容易な作業により故人の身体由来の遺物をユーザの身の回りに配置したり、身に付けたりすることが可能であり、故人を大切に思う多くの人々によって使用されることが期待される。したがって、大量に製造・販売され、いわゆる製造業や、小売業などのサービス業において利用可能である。
【符号の説明】
【００６３】
１…遺物収容器具、１１…カプセル、１１１…本体部、１１２…蓋部、１１２１…天井部、１１２２…突出部、１２…置物、１２１…本体部、１２２…底部、１３…装身具、１３１…本体部、１３１１…支柱、１３１２…突起、１３１３…輪形状部材、１３２…鎖、１３２１…留金
【図１】
2013132347.tif 000003
【図２】
2013132347.tif 000004
【図３】
2013132347.tif 000005
【図４】
2013132347.tif 000006
【図５】
2013132347.tif 000007